(57)【要約】【課題】ケーシング（111）内における吸着部材（151，152）の下流側で除湿側空気通路（136）と再生側空気通路（135）を仕切板（115）で区画するように構成された除湿機（20）を用いる除湿システムにおいて、除湿機（20）の構成を複雑にせずに仕切板（115）での結露を防止できるようにする。【解決手段】除湿機（20）(第２除湿ユニット)を収納する収納室（70）を設けて第２除湿ユニットの再生空気を収納室（70）に排出し、除湿側空気と再生側空気の間の仕切板（115）に再生空気の温熱を与えるようにする。【選択図】図３
2015020080.tif 000002
【特許請求の範囲】
【請求項１】
ケーシング（111）と、ケーシング（111）内に設けられた一対の吸着部材（151，152）と、ケーシング（111）内における吸着部材（151，152）の下流側で除湿側空気通路（136）と再生側空気通路（135）を区画する仕切板（115）と、を備えて低露点空気を生成する除湿機（20）を有する除湿システムであって、
上記除湿機（20）を収納する収納室（70）を備え、
上記除湿側空気通路（136）は、上記収納室（70）を通過して該収納室（70）の外部に除湿空気を流出させるように該収納室（70）の除湿空気流出口（76）に接続され、上記再生側空気通路（135）は上記収納室（70）内に再生空気を流出させるように該収納室（70）内で開口する再生空気流出口（77）を有し、
上記収納室（70）は、収納室（70）内の再生空気を該収納室（70）から排出する排出口（78）を備えていることを特徴とする除湿システム。
【請求項２】
請求項１において、
上記吸着部材（151，152）が第１吸着部材（151）と第２吸着部材（152）を含み、
上記除湿機（20）は、第１吸着部材（151）を通過した除湿空気が除湿側空気通路（136）を流れるとともに第２吸着部材（152）を通過した再生空気が再生側空気通路（135）を流れる第１空気流通状態と、第１吸着部材（151）を通過した再生空気が再生側空気通路（135）を流れるとともに第２吸着部材（152）を通過した除湿空気が除湿側空気通路（136）を流れる第２空気流通状態と、を切り換え可能な空気通路切換機構（26，27）を有することを特徴とする除湿システム。
【請求項３】
請求項１または２において、
上記収納室（70）は、上記除湿機（20）が収納される収納ボックス（75）により構成されていることを特徴とする除湿システム。
【請求項４】
請求項１または２において、
上記収納室（70）は、除湿対象空間を除湿するために上記除湿機（20）とともに用いられる機器が設置される機械室（80）により構成されていることを特徴とする除湿システム。
【請求項５】
請求項１から４の何れか１つにおいて、
上記再生空気流出口（77）は、上記ケーシング（111）の外面であって上記仕切板（115）が設けられている箇所の外面に向かって開口していることを特徴とする除湿システム。
【発明の詳細な説明】
【技術分野】
【０００１】
本発明は、ケーシング内に設けられた一対の吸着部材の下流側でケーシング内を除湿側空気通路と再生側空気通路に区画する仕切板とを備えた除湿機を有する除湿システムに関するものである。
【背景技術】
【０００２】
従来、表面に吸着剤が設けられた吸着熱交換器を有する除湿機を用いて除湿対象空間を除湿する調湿システムが知られている（例えば、特許文献１参照）。特許文献１の例えば図９に示された除湿機は、ケーシングと、ケーシング内に設けられた一対の吸着熱交換器（吸着部材）と、ケーシング内における吸着部材の下流側で除湿側空気通路と再生側空気通路を区画する仕切板とを備えている。吸着熱交換器は空気熱交換器の表面に吸着剤が担持されたものであって冷媒回路の一対の熱交換器に用いられており、蒸発器になる状態と凝縮器になる状態が交互に切り換えられる。また、ケーシング内の空気の流れはダンパで切り換えるようになっている。
【０００３】
特許文献１の調湿システムを室内の除湿に用いる場合、蒸発器になる吸着熱交換器で吸着剤に除湿された空気が除湿側空気通路を通って室内に供給される一方、凝縮器になる吸着熱交換器で吸着剤を再生した空気が室外へ排出される。
【先行技術文献】
【特許文献】
【０００４】
【特許文献１】特開２０１０−２８１４７６号公報
【発明の概要】
【発明が解決しようとする課題】
【０００５】
上記除湿機は、除湿側空気通路と再生側空気通路が仕切板で区画されており、運転中は、除湿側空気通路を常に低温低湿の空気が流れるのに対して、再生側空気通路を常に高温高湿の空気が流れることになる。仕切板は一般に板金で製造される部材であり、高温高湿の空間と低温低湿の空間の間に位置しているため、両空間の温度差が大きくなると仕切板に結露が生じやすくなる問題がある。また、ケーシングの内部の結露を防止しようとすると除湿機のケーシング内に多くの断熱材を設けることが必要になり、構成が複雑になってしまう。
【０００６】
本発明は、このような問題点に鑑みてなされたものであり、その目的は、ケーシング内における吸着部材の下流側で除湿側空気通路と再生側空気通路を仕切板で区画するように構成された除湿機を用いる除湿システムにおいて、除湿機の構成を複雑にすることなく、除湿側空気通路と再生側空気通路の間での結露を防止できるようにすることである。
【課題を解決するための手段】
【０００７】
第１の発明は、ケーシング（111）と、ケーシング（111）内に設けられた一対の吸着部材（151，152）と、ケーシング（111）内における吸着部材（151，152）の下流側で除湿側空気通路（136）と再生側空気通路（135）を区画する仕切板（115）と、を備えて低露点空気を生成する除湿機（20）を有する除湿システムを前提としている。
【０００８】
そして、この除湿システムは、上記除湿機（20）を収納する収納室（70）を備え、上記除湿側空気通路（136）が、上記収納室（70）を通過して該収納室（70）の外部に除湿空気を流出させるように該収納室（70）の除湿空気流出口（76）に接続され、上記再生側空気通路（135）は上記収納室（70）内に再生空気を流出させるように該収納室（70）内で開口する再生空気流出口（77）を有し、上記収納室（70）が、収納室（70）内の再生空気を該収納室（70）から排出する排出口（78）を備えていることを特徴としている。
【０００９】
第２の発明は、第１の発明において、上記吸着部材（151，152）が第１吸着部材（151）と第２吸着部材（152）を含み、上記除湿機（20）が、第１吸着部材（151）を通過した除湿空気が除湿側空気通路（136）を流れるとともに第２吸着部材（152）を通過した再生空気が再生側空気通路（135）を流れる第１空気流通状態と、第１吸着部材（151）を通過した再生空気が再生側空気通路（135）を流れるとともに第２吸着部材（152）を通過した除湿空気が除湿側空気通路（136）を流れる第２空気流通状態と、を切り換え可能な空気通路切換機構（26，27）を有することを特徴としている。
【００１０】
上記第１，第２の発明では、除湿機（20）で除湿された空気が除湿側空気通路（136）及び除湿空気流出口（76）を通って流出する一方、再生空気は、除湿機（20）から再生空気流出口（77）を通って収納室（70）に流出する。再生空気は吸着部材（151，152）を再生した暖かい空気であり、この暖かい空気が収納室（70）を満たすので、その温熱が除湿機（20）のケーシング（111）に伝えられ、さらに除湿側空気通路（136）と再生側空気通路（135）を区画する仕切板（115）に伝達される。また、収納室（70）の再生空気は、排出口（78）から室外へ排出される。
【００１１】
第３の発明は、第１または第２の発明において、上記収納室（70）が、上記除湿機（20）が収納される収納ボックス（75）により構成されていることを特徴としている。
【００１２】
第４の発明は、第１または第２の発明において、上記収納室（70）が、除湿対象空間を除湿するために上記除湿機（20）とともに用いられる機器が設置される機械室（80）により構成されていることを特徴としている。
【００１３】
上記第３，第４の発明では、除湿機（20）が収納される収納ボックス（75）や機械室（80）に除湿機（20）から再生空気を吹き出すことにより、収納ボックス（75）や機械室（80）の室内が暖かい空気で満たされて、その温熱が除湿機（20）のケーシング（111）から上記仕切板（115）に伝達される。
【００１４】
第５の発明は、第１から第４の発明の何れか１つにおいて、上記再生空気出口が、上記ケーシング（111）の外面であって上記仕切板（115）が設けられている箇所の外面に向かって開口していることを特徴としている。
【００１５】
この第５の発明では、再生空気が仕切板（115）の近傍でケーシング（111）に向かって吹き出されるので、その温熱が仕切板（115）に伝達されやすくなる。
【発明の効果】
【００１６】
上記第１，第２の発明によれば、吸着部材（151，152）を再生した再生空気を除湿機（20）から収納室（70）に吹き出して、その温熱を除湿機（20）の仕切板（115）に伝達するようにしているので、除湿側空気通路（136）の低温の空気（例えば約０℃の空気）と再生側空気通路（135）の高温の空気（例えば約３０℃の空気）とを仕切る仕切り板において結露が発生するのを抑えることができる。また、ケーシング（111）に多くの断熱材を設けて結露を防止することが不要になるので、装置構成を簡素化することもできる。
【００１７】
上記第３，第４の発明によれば、上記収納ボックス（75）や機械室（80）に再生空気を吹き出す簡単な構成で、仕切板（115）の結露を抑えられる。
【００１８】
上記第５の発明によれば、再生空気を仕切板（115）の近傍でケーシング（111）に向かって吹き出すようにしているので、仕切板（115）の結露をより確実に抑えられる。
【図面の簡単な説明】
【００１９】
【図１】図１は、実施形態の除湿システムの全体を示す概略の構成図であり、第２除湿ユニットが第１動作中の状態を示している。
【図２】図２は、実施形態の除湿システムの全体を示す概略の構成図であり、第２除湿ユニットが第２動作中の状態を示している。
【図３】図３は、第２除湿ユニットの構成を内部構造も含めて示す斜視図である。
【図４】図４は、第２除湿ユニット内の機器配置図であり、（Ａ）は平面視図、（Ｂ）は左側面視図、（Ｃ）は右側面視図である。
【図５】図５は、第１動作中における第２除湿ユニットの空気流れ図であり、（Ａ）は平面視図、（Ｂ）は左側面視図、（Ｃ）は右側面視図である。
【図６】図６は、第２動作中における第２除湿ユニットの空気流れ図であり、（Ａ）は平面視図、（Ｂ）は左側面視図、（Ｃ）は右側面視図である。
【図７】図７（Ａ）は、収納室に配置した第２除湿ユニットの空気流れを示す模式図、図７（Ｂ）は図７（Ａ）の変形例を示す図である。
【発明を実施するための形態】
【００２０】
以下、本発明の実施形態を図面に基づいて詳細に説明する。
【００２１】
本発明の実施形態は、室内空間（S）を除湿する除湿システム（10）に関するものである。この除湿システム（10）は、室外空気（OA）を除湿し、この空気を給気（SA）として室内へ供給する。除湿対象となる室内空間（S）は、低露点空気が求められるリチウム電池の製造ラインのドライクリーンエリア（除湿乾燥室）であり、図１，図２に全体の概略構成を示している除湿システム（10）は、リチウムイオン電池の製造ラインの一部を構成するものである。
【００２２】
図１，図２に示すように、除湿システム（10）は、第１除湿ユニット（60）と、第２除湿ユニット（20）と、第３除湿ユニット（30）とを備えている。
【００２３】
この除湿システム（10）は、室外空気（OA）を除湿して給気（SA）として室内へ供給するための給気通路（40）を備えている。給気通路（40）は、第１から第３までの給気路（41，42，43）を有している。第１給気路（41）は、第２除湿ユニット（20）の上流側に形成されている。第２給気路（42）は、第２除湿ユニット（20）と第３除湿ユニット（30）の間に形成され、第２除湿ユニット（20）と第３除湿ユニット（30）を直接に接続している。第３給気路（43）は、第３除湿ユニット（30）の下流側に形成されている。
【００２４】
また、除湿システム（10）は、給気通路（40）の一部の空気を排気（EA）として室外へ排出するための排気通路（50）を備えている。排気通路（50）は、第１から第４までの排気路（51，52，53，54）を備えている。排気通路（50）は、流入端が第２給気路（42）に接続し、流出端が室外に連通している。
【００２５】
上記給気通路（40）は室内空間（S）へ供給される空気が通過する通路であり、排気通路（50）は室外へ排出される空気が通過する通路であって、この給気通路（40）と排気通路（50）により、空気通路（40，50）が構成されている。そして、この空気通路（40，50）には、上記第１除湿ユニット（60）と第２除湿ユニット（20）と第３除湿ユニット（30）が、室内へ供給される空気である室外空気の入口側から順に配置されている。
【００２６】
第１除湿ユニット（60）は、上記室外空気を冷却して除湿する外気冷却熱交換器（61）と、外気冷却熱交換器（61）で凝縮した水を回収するドレンパン（62）とを備え、外気冷却熱交換器（61）が第１給気路（41）に設けられている。また、上記第２除湿ユニット（20）には、第２給気路（42）に接続される通路に、空気を室内へ搬送するための給気ファン（63）が設けられている。第３給気路（43）には、空気を加熱する再熱熱交換器（64）が設けられている。
【００２７】
第２除湿ユニット（20）は、低露点空気（一般に露点温度がマイナス１０℃以下の空気を言う）を生成するための本発明の除湿機であって、圧縮機（21）、第１吸着熱交換器（第１吸着部材）（22）、膨張弁（23）、第２吸着熱交換器（第２吸着部材）（24）、及び四方切換弁（25）が接続された冷媒回路（20a）を備え、図１には示していないケーシング内に機器が収納されている。各吸着熱交換器（22,24）はフィンアンドチューブ式の熱交換器の表面に吸着剤が担持されたものであり、ケーシング内には、第１吸着熱交換器（22）を収納する後述の第１熱交換器室（137）と、第２吸着熱交換器（24）を収納する後述の第２熱交換器室（138）が設けられている(図３〜図６参照)。
【００２８】
四方切換弁（25）は、第１から第４までのポートを有し、第１ポートが圧縮機（21）の吐出側と、第２ポートが圧縮機（21）の吸入側と、第３ポートが第１吸着熱交換器（22）の端部と、第４ポートが第２吸着熱交換器（24）の端部とそれぞれ接続されている。四方切換弁（25）は、第１ポートと第３ポートとが連通するとともに第２ポートと第４ポートとが連通する第１状態（図１の実線で示す状態）と、第１ポートと第４ポートとが連通するとともに第２ポートと第３ポートとが連通する第２状態（図１の破線で示す状態）とに切換可能に構成されている。
【００２９】
第２除湿ユニット（20）は、２つの吸着熱交換器（22,24）へ流入する空気の流れを変更する第１流路切換部（26）と、２つの吸着熱交換器（22,24）を流出した空気の流れを変更する第２流路切換部（27）とを備えている。各流路切換部（26,27）は、開閉式の複数のダンパによって構成されている。各流路切換部（26,27）は、図１の実線で示す状態と、第２の実線で示す状態とに、空気の流路を切換可能に構成されている。
【００３０】
上記第２除湿ユニット(20)において、上記四方切換弁（25）は、冷媒回路（20a）に設けられた２つの吸着熱交換器（22，24）を除湿側と再生側に交互に切り換える冷媒流路切換機構（25）であり、上記第１流路切換部（26）と第２流路切換部（27）は、蒸発器となる吸着熱交換器を給気通路（40）に接続して凝縮器となる吸着熱交換器を排気通路（50）に接続するように切り換える空気通路切換機構（26，27）である。
【００３１】
第２除湿ユニット（20）の具体的な装置構成は後述する。
【００３２】
第３除湿ユニット（30）は、吸着ロータ（31）と再生熱交換器（空気加熱器）（65）とを有している。吸着ロータ（31）は、円板状の多孔性の基材の表面に吸着剤が担持されることにより構成されている。吸着ロータ（31）は、給気通路（40）と排気通路（50）に跨って配置されるとともに、駆動機構（図示省略）によって駆動されて、両通路（40，50）の間の軸心を中心として回転するように構成されている。
【００３３】
吸着ロータ（31）には、給気通路（40）の第３給気路（43）を流れる空気が通過する第１吸着部（32）と、排気通路（50）の第１排気路（51）を流れる空気が通過する第２吸着部（33）と、排気通路（50）の第２排気路（52）を流れる空気が通過する再生部（34）とが形成されている。第１吸着部（32）と第２吸着部（33）とでは、空気中の水分が吸着され、再生部（34）では、吸着剤中の水分が空気中へ放出される。
【００３４】
上記第１排気路（51）は、吸着ロータ（31）の第２吸着部（33）の上流側に形成されている。第２排気路（52）は、吸着ロータ（31）の第２吸着部（33）と、該吸着ロータ（31）の再生部（34）との間に形成されている。第３排気路（53）は、吸着ロータ（31）の再生部（34）と第２除湿ユニット（20）の間に形成されている。また、第４排気路（54）は、第２除湿ユニット（20）の下流側に形成されている。
【００３５】
第２排気路（52）には、吸着ロータ（31）を再生するために空気を加熱する上記再生熱交換器（65）が、吸着ロータ（31）への再生空気の入口側に設けられている。第４排気路（54）には、空気を室外へ放出するための排気ファン（66）が第２除湿ユニット(20)内に設けられている。また、第３排気路（53）は、第１給気路（41）から分岐した分岐路（55）と接続されている。
【００３６】
除湿システム（10）は、室内空気（RA）を給気通路（40）へ返送する還気通路（58）を備えている。還気通路（58）は、流入端が室内空間（S）に連通する還気口（58a）に接続され、流出端が第２給気路（42）に接続されている。つまり、還気通路（58）の流出端は、給気通路（40）における第２除湿ユニット（20）と吸着ロータ（31）との間に接続されている。また、還気通路（58）の流出端は、排気通路（50）の流入端よりも上流側に位置している。還気通路（58）には、室内空気を給気通路（40）へ送り出す換気ファン（59）と、空気冷却部を構成する還気冷却熱交換器（67）が設けられている。
【００３７】
第２除湿ユニット（20）の具体的な装置構成について、図３及び図４を参照しながら説明する。尚、ここでの説明で用いる「上」「下」「左」「右」「前」「後」「手前」「奥」は、特にことわらない限り、第２除湿ユニット（20）を前面側から見た場合の方向を意味している。
【００３８】
第２除湿ユニット（20）は、ケーシング（111）を備えている。また、ケーシング（111）内には、上記冷媒回路（20a）の構成部品である第１吸着熱交換器（22）、第２吸着熱交換器（24）、圧縮機（21）、四方切換弁（25）、及び膨張弁（23）が収容されている。
【００３９】
ケーシング（111）は、やや扁平で高さが比較的低い直方体状に形成されている。このケーシング（111）では、図２における左手前側に前面パネル（112）が、同図における右奥側に背面パネル（113）がそれぞれ立設されている。このケーシング（111）は、前後方向の幅と左右方向の幅とが略同一の長さとなっている。
【００４０】
ケーシング（111）の前面パネル（112）では、左寄りの位置に排気口（121）が、右寄りの位置に給気口（122）がそれぞれ開口している。ケーシング（111）の背面パネル（113）の中央部には、上側寄りの位置に外気吸込口（123）が、下側寄りの位置に内気吸込口（124）がそれぞれ開口している。
【００４１】
ケーシング（111）の内部空間は、前面パネル（112）側の部分と背面パネル（113）側の部分とに区画されている。
【００４２】
ケーシング（111）内における前面パネル（112）側の空間は、吸着熱交換器（22，24）の下流側で、仕切板（115）により、左右２つの空間に仕切られている。この左右に仕切られた２つの空間は、左寄りの空間が排気ファン室（再生側空気通路）（135）を、右寄りの空間が給気ファン室（除湿側空気通路）（136）をそれぞれ構成している。
【００４３】
排気ファン室（135）には、上記排気口（121）が設けられている。この排気ファン室（135）には上記排気ファン（66）が収容されており、排気ファン（66）の吹出口が排気口（121）に接続されている。一方、給気ファン室（136）には、上記給気口（122）が設けられている。この給気ファン室（136）には、上記給気ファン（63）が収容されており、給気ファン（63）の吹出口が給気口（122）に接続されている。また、給気ファン室（136）には、圧縮機（21）も収容されている。
【００４４】
一方、ケーシング（111）内の背面パネル（113）側の空間は、ケーシング（111）内に立設された第１仕切板（116）及び第２仕切板（117）によって前後３つの空間に仕切られている。これら仕切板（116，117）は、ケーシング（111）の左右方向に延びている。第１仕切板（116）は上記背面パネル（113）寄りに、第２仕切板（117）は前面パネル（112）寄りにそれぞれ配置されている。
【００４５】
ケーシング（111）内において、第１仕切板（116）の奥の空間は上下２つの空間に仕切られており、上側の空間が外気側流路（132）を、下側の空間が内気側流路（134）をそれぞれ構成している。外気側流路（132）は、外気吸込口（123）と連通している。この外気側流路（132）には、ケーシング（111）の左右の内壁に亘って横断するように外気フィルタ（161）が配置されている。この外気フィルタ（161）は、外気吸込口（123）から取り込まれる室外空気中の塵埃を捕集する。内気側流路（134）は内気吸込口（124）と連通している。この内気側流路（134）には、ケーシング（111）の左右の内壁に亘って横断するように内気フィルタ（162）が配置されている。この内気フィルタ（162）は、内気吸込口（124）から取り込まれる室内空気中の塵埃を捕集する。
【００４６】
第２仕切板（117）の手前の空間は上下２つの空間に仕切られており、上側の空間が排気側流路（131）を、下側の空間が給気側流路（133）を構成している。排気側流路（131）は、排気ファン室（135）と連通している。給気側流路（133）は、給気ファン室（136）と連通している。
【００４７】
第１仕切板（116）と第２仕切板（117）との間の空間は、更に中央仕切板（118）によって左右２つの空間に仕切られている。そして、中央仕切板（118）の右側の空間が第１熱交換器室（137）を構成し、その左側の空間が第２熱交換器室（138）を構成している。第１熱交換器室（137）には第１吸着熱交換器（22）が、第２熱交換器室（138）には第２吸着熱交換器（24）がそれぞれ収容されている。これら２つの吸着熱交換器（22，24）は、それぞれが収容される熱交換器室（137，138）を左右方向へ横断するように配置されている。
【００４８】
第１仕切板（116）には、開閉式のダンパ（141〜144）が４つ設けられている。具体的に、第１仕切板（116）では、右側の上部に第１ダンパ（141）が、左側の上部に第２ダンパ（142）が、右側の下部に第３ダンパ（143）が、左側の下部に第４ダンパ（144）がそれぞれ取り付けられている。第１ダンパ（141）を開くと、外気側流路（132）と第１熱交換器室（137）が連通する。第２ダンパ（142）を開くと、外気側流路（132）と第２熱交換器室（138）が連通する。第３ダンパ（143）を開くと、内気側流路（134）と第１熱交換器室（137）が連通する。第４ダンパ（144）を開くと、内気側流路（134）と第２熱交換器室（138）が連通する。これらのダンパ（141〜144）により、上記第１流路切換部（26）が構成されている。
【００４９】
第２仕切板（117）には、開閉式のダンパ（145〜148）が４つ設けられている。具体的に、第２仕切板（117）では、右側の上部に第５ダンパ（145）が、左側の上部に第６ダンパ（146）が、右側の下部に第７ダンパ（147）が、左側の下部に第８ダンパ（148）がそれぞれ取り付けられている。第５ダンパ（145）を開くと、排気側流路（131）と第１熱交換器室（137）が連通する。第６ダンパ（146）を開くと、排気側流路（131）と第２熱交換器室（138）が連通する。第７ダンパ（147）を開くと、給気側流路（133）と第１熱交換器室（137）が連通する。第８ダンパ（148）を開くと、給気側流路（133）と第２熱交換器室（138）が連通する。これらのダンパ（145〜148）により、上記第２流路切換部（27）が構成されている。
【００５０】
この除湿システムには、上記第２除湿ユニット（20）を収納する収納室（70）を有する収納ボックス（75）が設けられている（図１，２参照）。上記除湿側空気通路（136）は、上記収納室（70）を通過して該収納室（70）の外部に除湿空気を流出させるように収納ボックス（75）の除湿空気流出口（76）に接続されている。また、上記再生側空気通路（135）は、上記収納室（70）内に再生空気を流出させるように該収納室（70）内で開口する再生空気流出口（77）を有している。上記収納ボックス（75）は、収納室（70）内の再生空気を該収納室（70）から室外へ排出する排出口（78）を備えている。
【００５１】
そして、上記第２除湿ユニット（20）は、上述したように、第１吸着熱交換器（22）を通過した除湿空気が除湿側空気通路（136）を流れるとともに第２吸着熱交換器（24）を通過した再生空気が再生側空気通路（135）を流れる第１空気流通状態と、第１吸着熱交換器（22）を通過した再生空気が再生側空気通路（135）を流れるとともに第２吸着熱交換器（24）を通過した除湿空気が除湿側空気通路（136）を流れる第２空気流通状態とを切り換え可能な空気通路切換機構（26，27）を有している。
【００５２】
−運転動作−
除湿システム（10）の運転動作について説明する。
【００５３】
〈第２除湿ユニットの動作〉
除湿システム（10）の運転時には、第２除湿ユニット（20）が図１に示す第１動作と図２に示す第２動作とを所定時間おきに（例えば５分間隔で）交互に行う。
【００５４】
このとき、第２除湿ユニット（20）では、排気ファン（66）及び給気ファン（63）が運転される。図５，６に示すように、給気ファン（63）の運転が開始されると、室外空気が外気吸込口（123）からケーシング（111）内へ第１空気として取り込まれる。排気ファン（66）の運転が開始されると、室内空気が内気吸込口（124）からケーシング（111）内へ第２空気として取り込まれる。
【００５５】
第１動作では、第２吸着熱交換器（24）で空気を除湿すると同時に、第１吸着熱交換器（22）の吸着剤を再生する。
【００５６】
具体的に、第１動作中の除湿側冷媒回路（20a）では、四方切換弁（25）が図１の状態となり、膨張弁（23）が所定開度に制御される。第１流路切換部（26）は、第１給気路（41）と第２吸着熱交換器（24）の収容室（第２熱交換器室（138））とを連通させ、且つ第３排気路（53）と第１吸着熱交換器（22）の収容室（第１熱交換器室（137））とを連通させる。また、第２流路切換部（27）は、第２吸着熱交換器（24）の収容室（第２熱交換器室（138））と第２給気路（42）とを連通させ、且つ第１吸着熱交換器（22）の収容室（第１熱交換器室（137））と第４排気路（54）とを連通させる。
【００５７】
第１動作において、圧縮機（21）で圧縮された冷媒は、四方切換弁（25）を通過して、第１吸着熱交換器（22）を流れる。第１吸着熱交換器（22）では、冷媒によって吸着剤が加熱され、吸着剤中の水分が空気へ放出される。第１吸着熱交換器（22）で放熱して凝縮した冷媒は、膨張弁（23）で減圧された後、第２吸着熱交換器（24）を流れる。第２吸着熱交換器（24）では、空気中の水分が吸着剤に吸着され、この際に生じる吸着熱が冷媒に付与される。第２吸着熱交換器（24）で吸熱して蒸発した冷媒は、圧縮機（21）に吸入されて圧縮される。
【００５８】
図５に示すように、この第１動作中には、第２ダンパ（142）、第３ダンパ（143）、第５ダンパ（145）、及び第８ダンパ（148）だけが開状態となり、残りのダンパ（141,144,146,147）が閉状態となる。
【００５９】
外気吸込口（123）から外気側流路（132）へ流入した第１空気は、第２ダンパ（142）を通って第２熱交換器室（138）へ流入し、その後に第２吸着熱交換器（24）を通過する。第２吸着熱交換器（24）では、第１空気中の水分が吸着剤に吸着される。第２吸着熱交換器（24）で除湿された第１空気は、第８ダンパ（148）を通って給気側流路（133）へ流入し、給気ファン室（136）を通過後に給気口（122）を通り、室内へ向かって流れていく。
【００６０】
一方、内気吸込口（124）から内気側流路（134）へ流入した第２空気は、第３ダンパ（143）を通って第１熱交換器室（137）へ流入し、その後に第１吸着熱交換器（22）を通過する。第１吸着熱交換器（22）では、冷媒で加熱された吸着剤から水分が脱離し、この脱離した水分が第２空気に付与される。第１吸着熱交換器（22）で水分を付与された第２空気は、第５ダンパ（145）を通って排気側流路（131）へ流入し、排気ファン室（135）を通過後に排気口（121）を通って収納室（70）へ排出される。
【００６１】
第２動作では、第１吸着熱交換器（22）で空気を除湿すると同時に、第２吸着熱交換器（24）の吸着剤を再生する。
【００６２】
第２動作中の除湿側冷媒回路（20a）では、四方切換弁（25）が図２の状態となり、膨張弁（23）が所定開度に制御される。第１流路切換部（26）は、第１給気路（41）と第１吸着熱交換器（22）の収容室（第１熱交換器室（137））とを連通させ、且つ第３排気路（53）と第２吸着熱交換器（24）の収容室（第２熱交換器室（138））とを連通させる。また、第２流路切換部（27）は、第１吸着熱交換器（22）の収容室（第１熱交換器室（137））と第２給気路（42）とを連通させ、且つ第２吸着熱交換器（24）の収容室（第２熱交換器室（138））と第４排気路（54）とを連通させる。
【００６３】
第２動作において、圧縮機（21）で圧縮された冷媒は、四方切換弁（25）を通過して、第２吸着熱交換器（24）を流れる。第２吸着熱交換器（24）では、冷媒によって吸着剤が加熱され、吸着剤中の水分が空気へ放出される。第２吸着熱交換器（24）で放熱して凝縮した冷媒は、膨張弁（23）で減圧された後、第１吸着熱交換器（22）を流れる。第１吸着熱交換器（22）では、空気中の水分が吸着剤に吸着され、この際に生じる吸着熱が冷媒に付与される。第１吸着熱交換器（22）で吸熱して蒸発した冷媒は、圧縮機（21）に吸入されて圧縮される。
【００６４】
図６に示すように、この第２動作中には、第１ダンパ（141）、第４ダンパ（144）、第６ダンパ（146）、及び第７ダンパ（147）だけが開状態となり、残りのダンパ（142,143,145,148）が閉状態となる。
【００６５】
外気吸込口（123）から外気側流路（132）へ流入した第１空気は、第１ダンパ（141）を通って第１熱交換器室（137）へ流入し、その後に第１吸着熱交換器（22）を通過する。第１吸着熱交換器（22）では、第１空気中の水分が吸着剤に吸着される。第１吸着熱交換器（22）で除湿された第１空気は、第７ダンパ（147）を通って給気側流路（133）へ流入し、給気ファン室（136）を通過後に給気口（122）を通り、室内へ向かって流れていく。
【００６６】
一方、内気吸込口（124）から内気側流路（134）へ流入した第２空気は、第４ダンパ（144）を通って第２熱交換器室（138）へ流入し、その後に第２吸着熱交換器（24）を通過する。第２吸着熱交換器（24）では、冷媒で加熱された吸着剤から水分が脱離し、この脱離した水分が第２空気に付与される。第２吸着熱交換器（24）で水分を付与された第２空気は、第６ダンパ（146）を通って排気側流路（131）へ流入し、排気ファン室（135）を通過後に排気口（121）を通って収納室（70）へ排出される。
【００６７】
以上のように、第２除湿ユニット（20）の排気口（121）から排出される空気は、図７（Ａ）に示すように、収納ボックス（75）の収納室（70）に流出する。この空気が再生空気で暖かいため、収納室（70）が温暖な環境になる。したがって、第２除湿ユニット（20）の再生側空気通路（135）と除湿側空気通路（136）の間に温度差がある状態でも、収納室（70）の温熱が仕切板（115）に伝達され、仕切板（115）における結露が生じにくくなる。
【００６８】
〈除湿システムの運転動作〉
次いで、除湿システム（10）の運転動作について説明する。
【００６９】
室外空気（OA）は、給気通路（40）の第１給気路（41）に流入する。この空気は、比較的高温高湿の空気である。第１給気路（41）を流れる空気は、第１除湿ユニット（60）の外気冷却熱交換器（61）によって冷却される。冷却時に空気中から発生した凝縮水は、ドレンパン（62）に回収される。上記第１動作では、外気冷却熱交換器（61）で冷却及び除湿された空気は、第２除湿ユニット（20）の第２吸着熱交換器（24）を通過する。第２吸着熱交換器（24）では、空気中の水分が吸着剤に吸着される。また、第２動作では、外気冷却熱交換器（61）で冷却及び除湿された空気は、第２除湿ユニット（20）の第１吸着熱交換器（22）で除湿される。
【００７０】
各吸着熱交換器（22，24）で吸着剤に水分が吸着されるときに発生する吸着熱は、上述したように吸着熱交換器（22，24）を流れる冷媒に与えられる。また、給気通路（40）を流れる空気は冷媒による冷却作用を受けるので、除湿されて湿度が低下するとともに冷却されて温度も低下する。
【００７１】
第２除湿ユニット（20）で除湿された空気は、第２給気路（42）を流れ、吸着ロータ（31）の第１吸着部（32）を通過する。その結果、この空気中の水分が吸着ロータ（31）の吸着剤に吸着される。吸着ロータ（31）で除湿された空気は、再熱熱交換器（64）で温度が調整された後、給気（SA）として室内へ供給される。
【００７２】
第２給気路（42）を流れる空気の一部は、排気通路（50）に流入し、吸着ロータ（31）の第２吸着部（33）を通過する。その結果、この空気中の水分が吸着ロータ（31）の吸着剤に吸着される。第２吸着部（33）は高温の再生空気が通過した再生部（34）が第１吸着部（32）へ移動する途中の段階であり、第２吸着部（33）に第２給気路（42）の空気が流れることにより、第２吸着部（33）が冷やされる作用も生じることになる。
【００７３】
吸着ロータ（31）の第２吸着部（33）で除湿された空気は、第２排気路（52）を流れて再生熱交換器（65）で加熱される。加熱された空気は、吸着ロータ（31）の再生部（34）を通過する。その結果、吸着ロータ（31）の吸着剤から空気中へ水分が脱離し、吸着剤が再生される。吸着ロータ（31）の再生に利用された空気は、第３排気路（53）を流れ、分岐路（55）から送られてくる空気と混合される。
【００７４】
上記第１動作において、この空気は、第２除湿ユニット（20）の第１吸着熱交換器（22）を通過する。第１吸着熱交換器（22）では、吸着剤から空気中へ水分が脱離し、吸着剤が再生される。第１吸着熱交換器（22）の吸着剤の再生に利用された空気は、第４排気路（54）を流れ、排気（EA）として収納室(70)に流出し、排気口(77)から室外へ排出される。また、第２動作では、空気が第２吸着熱交換器（22）の吸着剤を再生した後、排気（EA）として収納室(70)に流出し、排気口(77)から室外へ排出される。
【００７５】
また、室内空間（S）の空気の一部は、排気（EA）として室外へ直接排出される。さらに、室内空間（S）の空気の一部は、還気通路（58）に流入する。還気通路（58）を流れる空気は、還気冷却熱交換器（67）によって冷却された後、第２給気路（42）へ返送される。この返送空気は、第２除湿ユニット（20）で除湿された空気と混合される。第２除湿ユニット（20）で除湿された空気と、室内空間（S）から返送された空気とでは、返送された空気の方が低温、低湿となっている。このため、第２除湿ユニット（20）で除湿された空気は、返送空気と混合されることで、更に低温低湿となる。これにより、吸着ロータ（31）での水分の吸着能力が向上する。
【００７６】
−実施形態の効果−
本実施形態によれば、除湿側空気通路（136）と再生側空気通路（135）が仕切板（115）で区画された第２除湿ユニット（20）において、運転中に除湿側空気通路（136）を常に低温低湿の空気（例えば約０℃の除湿空気）が流れ、再生側空気通路（135）を常に高温高湿の空気（例えば約３０℃の再生空気）が流れるのに対して、図７（Ａ）に示すように、第２除湿ユニット（20）が収納された収納室（70）に暖かい再生空気を流出させるようにしているので、その温熱が仕切板（115）に伝達され、仕切板（115）における結露を防止することが可能になる。また、本実施形態によれば、ケーシング（111）内に多くの断熱材を設けなくても第２除湿ユニット（20）のケーシング（111）内で結露が生じるのを防止できるから、構成が複雑になるのも防止できる。また、本実施形態では、第２除湿ユニット（20）のケーシング（111）の周囲に排気（EA）を流すことでケーシング（111）の内壁の温度が上がり、第２除湿ユニット（20）のケーシング（111）の内壁での結露が生じにくくなる効果があり、そのことからも断熱材を少なくして構成の複雑化を防止できる。さらに、第２除湿ユニット（20）の内部に低温空気が流れているところではケーシング（111）も低温になって周囲で結露しやすいのに対して、本実施形態によれば、特に夏期には外気よりも湿度が低い排気（EA）をケーシング（111）の周囲に流すことにより、ケーシング（111）の周囲での結露も防ぐことができる。
【００７７】
−実施形態の変形例−
（変形例１）
上記実施形態では、収納室（70）を収納ボックス（75）の内部の空間にしているが、上記収納室（70）は、図１において、除湿対象空間を除湿するために上記第２除湿ユニット（除湿機）とともに用いられる機器が設置される機械室（80）により構成してもよい。
【００７８】
このように構成しても、機械室（80）に流出する排気空気の温熱をケーシング（111）の仕切板（115）に伝達することにより、ケーシング（111）内で結露が生じる問題を防止できるし、構成が複雑になるのも防止できる。
【００７９】
（変形例２）
上記実施形態においては、図７（Ｂ）に示すように、上記再生空気流出口（77）を、上記ケーシング（111）の外面であって上記仕切板（115）が設けられている箇所の外面に向かって開口するように構成するとよい。このように構成すると、排気空気の温熱が仕切板（115）に伝達されやすくなるので、第２除湿ユニット（20）のケーシング（111）内で結露が生じる問題をより確実に防止できる。
【００８０】
《その他の実施形態》
上記実施形態については、以下のような構成としてもよい。
【００８１】
例えば、上記実施形態では、第２除湿ユニット（20）を１台だけ用いる例を説明したが、第２除湿ユニット（20）は、複数台(例えば５台程度)を並列に接続して用いてもよい。その場合でも、本発明においては、上記複数の第２除湿ユニット（20）を収納室（70）に収納し、第２除湿ユニット（20）の排気を収納室に流出させるようにすることにより、上記実施形態と同様に、排気空気の温熱を利用して第２除湿ユニット（20）のケーシング内で結露が生じるのを防止でき、構成が複雑になるのも防止できる。
【００８２】
また、上記実施形態において、除湿システム（10）の回路構成や第２除湿ユニット（20）の装置構成などは一例であり、適宜変更してもよい。
【００８３】
このように、以上の実施形態は、本質的に好ましい例示であって、本発明、その適用物、あるいはその用途の範囲を制限することを意図するものではない。
【産業上の利用可能性】
【００８４】
以上説明したように、本発明は、ケーシング内における吸着部材の下流側で除湿側空気通路と再生側空気通路を仕切板で区画するように構成された除湿機を用いる除湿システムについて有用である。
【符号の説明】
【００８５】
10    除湿システム
20    除湿機
26    第１流路切換部（空気通路切換機構）
27    第２流路切換部（空気通路切換機構）
70    収納室
75    収納ボックス
76    除湿空気流出口
77    再生空気流出口
78    排出口
80    機械室
111   ケーシング
115   仕切板
136   除湿側空気通路
135   再生側空気通路
151   第１吸着部材
152   第２吸着部材
【図１】
2015020080.tif 000003
【図２】
2015020080.tif 000004
【図３】
2015020080.tif 000005
【図４】
2015020080.tif 000006
【図５】
2015020080.tif 000007
【図６】
2015020080.tif 000008
【図７】
2015020080.tif 000009